(57)【要約】  廃棄物搬送システム等の空気式物質搬送システムにおける方法であって、この搬送システムは、物質の、より具体的には廃材の少なくとも１つの投入点１と、投入点１に接続することができる物質搬送パイプ２、３と、搬送される物質を搬送空気から分離する分離装置４と、また、少なくとも物質の移送中に搬送パイプ２、３内で圧力差を得る手段５とを備える、方法。投入点１と搬送配管２、３との間に配置される弁手段１１、３００、４００のアクチュエーター１２が、水道本管網２２から導かれる水によって駆動及び／又は制御される。【選択図】図２
2013519609.tif 000002
【特許請求の範囲】
【請求項１】
廃棄物搬送システム等の空気式物質搬送システムにおける方法であって、前記搬送システムは、物質の、より具体的には廃材の少なくとも１つの投入点（１）と、投入点（１）に接続することができる物質搬送パイプ（２、３）と、搬送される前記物質を前記搬送空気から分離する分離装置（４）と、少なくとも前記物質の移送中に前記搬送パイプ（２、３）内で圧力差を得る手段（５）とを備え、投入点（１）と前記搬送配管（２、３）との間に配置される前記弁手段（１１、３００、４００）の前記アクチュエーター（１２）が、前記水道本管網（２２）から導かれる水によって駆動及び／又は制御されることを特徴とする、方法。
【請求項２】
前記アクチュエーター（１２）はシリンダー−ピストンユニットであり、その前記ピストン部分（１４）が、前記シリンダースペース（１５）内に導かれる水によって第１の位置から第２の位置へ移動することを特徴とする、請求項１に記載の方法。
【請求項３】
前記アクチュエーターはシリンダー−ピストンユニットであり、その前記ピストン部分が、ばね手段（１６）によって前記第２の位置から前記第１の位置へ移動することを特徴とする、請求項１又は２に記載の方法。
【請求項４】
前記アクチュエーターの前記ピストン（１４）を移動させるときに用いられる前記圧力媒体は、少なくとも前記ピストンが前記第２の位置から前記第１の位置へ移動するときに、前記シリンダースペース（１５）から前記媒体経路（１３３）に沿って前記排出パイプ（２）内又は前記下水管内へ導かれることを特徴とする、請求項１〜３のいずれか１項に記載の方法。
【請求項５】
ヒンジ式のフラップ（１１）が前記弁手段として用いられ、前記フラップによって前記アクチュエーターの前記ピストンロッド（１３）が移動するように適合されていることを特徴とする、請求項１〜４のいずれか１項に記載の方法。
【請求項６】
ゲート弁が前記弁手段（３００）として用いられ、その前記閉鎖手段（３０３）によって前記アクチュエーターの前記ピストン（１４）が移動するように適合されていることを特徴とする、請求項１〜５のいずれか１項に記載の方法。
【請求項７】
ピンチ弁が前記弁手段（４００）として用いられ、その前記圧縮手段（４０２、４０３）によって前記アクチュエーターの前記ピストンロッド（１３）が移動するように適合されていることを特徴とする、請求項１〜６のいずれか１項に記載の方法。
【請求項８】
前記方法において、少なくとも１つの部分真空発生器（５）によって前記搬送パイプ（３）内で部分真空が得られ、その前記吸引側は、分離手段（４）に、又は空気導管（４１）を介してそれにつながっている搬送パイプ（３）に接続されていることを特徴とする、請求項１〜７のいずれか１項に記載の方法。
【請求項９】
前記弁手段（１１、３００、４００）、すなわち前記排出弁は、駆動装置（２０、２１）によって手動で、又は蓋手段（８）への接続を介する方法で制御されることを特徴とする、請求項１〜８のいずれか１項に記載の方法。
【請求項１０】
前記送り込みコンテナー（１０）の前記内面を、少なくとも空にする間に水によって洗浄することを特徴とする、請求項１〜９のいずれか１項に記載の方法。
【請求項１１】
前記方法において、物質は前記投入点（１）から送り込まれ、前記投入点は各特定の区画、最も好適には前記台所スペース（Ｋ）に配置され、この場合、搬送される前記物質は最も好適には食品廃棄物であることを特徴とする、請求項１〜１０のいずれか１項に記載の方法。
【請求項１２】
廃棄物搬送システム等の空気式物質搬送システムにおける装置であって、前記搬送システムは、物質の、より具体的には廃材の少なくとも１つの投入点（１）と、投入点（１）に接続することができる物質搬送パイプ（２、３）と、搬送される前記物質を前記搬送空気から分離する分離装置（４）と、少なくとも前記物質の移送中に前記搬送パイプ（２、３）内で圧力差を得る手段（５）とを備え、投入点（１）と前記搬送配管（２、３）との間に配置される前記弁手段（１１、３００、４００）の前記アクチュエーター（１２）の前記駆動媒体及び／又は制御媒体が、前記水道本管網（２２）から導かれる水であることを特徴とする、装置。
【請求項１３】
前記アクチュエーター（１２）はシリンダー−ピストンユニットであり、その前記ピストン部分（１４）が、前記媒体経路（２３）に沿って前記シリンダースペース（１５）内へ導かれる水によって第１の位置から第２の位置へ移動されるように適合されていることを特徴とする、請求項１２に記載の装置。
【請求項１４】
前記アクチュエーター（１２）はシリンダー−ピストンユニットであり、その前記ピストン部分（１４）が、ばね手段（１６）によって前記第２の位置から前記第１の位置へ移動されるように適合されていることを特徴とする、請求項１２又は１３に記載の装置。
【請求項１５】
前記装置は、前記シリンダースペース（１５）から前記排出パイプ（２）内又は前記下水管内への媒体経路（１３３）を備えることを特徴とする、請求項１２〜１４のいずれか１項に記載の装置。
【請求項１６】
前記装置は、前記水道管（２２）から前記シリンダースペース（１５）内への前記媒体経路（２３）を開く分配装置（２０、２１）を備えることを特徴とする、請求項１２〜１５のいずれか１項に記載の装置。
【請求項１７】
前記分配装置（２０、２１）は好ましくは調節可能な自動閉鎖給水栓であることを特徴とする、請求項１６に記載の装置。
【請求項１８】
前記弁手段（１１）はヒンジ式のフラップであり、それによって前記アクチュエーターの前記ピストンロッド（１３）が移動するように適合されていることを特徴とする、請求項１２〜１７のいずれか１項に記載の装置。
【請求項１９】
前記弁手段（３００）はゲート弁であり、その前記閉鎖手段（３０３）によって前記アクチュエーターの前記ピストン（１４）が移動するように適合されていることを特徴とする、請求項１２〜１８のいずれか１項に記載の装置。
【請求項２０】
前記弁手段（４００）はピンチ弁であり、その前記圧縮手段（４０２、４０３）によって前記アクチュエーターの前記ピストンロッド（１３）が移動するように適合されていることを特徴とする、請求項１２〜１９のいずれか１項に記載の装置。
【請求項２１】
前記装置は、少なくとも１つの部分真空発生器（５）を備え、その前記吸引側は、分離手段（４）に、又は空気導管（４１）を介してそれにつながっている搬送パイプ（３）に接続されていることを特徴とする、請求項１２〜２０のいずれか１項に記載の装置。
【請求項２２】
前記装置は、前記送り込みコンテナー（１０）の内面を水によって洗浄する手段（２４、２５、１１０、１１１）を備えることを特徴とする、請求項１２〜２１のいずれか１項に記載の装置。
【請求項２３】
投入点（１）は、前記建物内において、各特定の区画、最も好適には前記区画の前記台所領域（Ｋ）に配置されていることを特徴とする、請求項１２〜２２のいずれか１項に記載の装置。
【発明の詳細な説明】
【技術分野】
【０００１】
本発明の対象は、請求項１のプリアンブルに規定される方法である。
【０００２】
本発明の別の対象は、請求項１２のプリアンブルに規定される装置である。
【０００３】
本発明は、包括的には、部分真空搬送システム等の空気式物質搬送システムに関し、より詳細には、食品廃棄物の搬送等の廃棄物の収集及び搬送に関する。
【背景技術】
【０００４】
家庭廃棄物、より具体的には台所廃棄物を除去する解決策が当該技術分野において既知であり、対処される廃棄物は廃棄物粉砕機において粉砕され、この廃棄物粉砕機は、台所において流しと接続して配置されているとともに、粉砕した食品廃棄物を下水配管内に前方へ搬送する。これらの解決策は、廃棄物の各投入（input）場所の廃棄物粉砕機用の電気接続を必要とする。多くの国々では、下水道網に接続される廃棄物粉砕機の使用は、この構成によって特に下水中への栄養物の投入量（load）が増大するため、規則によって禁止されている。
【０００５】
食品及びそれらの廃棄物を、送り込みステーションから収集リザーバー内へ、場合によっては更なる対処のために圧力差及び／又は吸引を用いて配管内へ分配方式で搬送する解決策が既知である。１つのそのような従来技術の解決策が、特許文献１から既知である。当該技術分野において、廃棄物を吸引によって配管内で移送する、廃棄物の空気式搬送の広範なシステムが既知である。これらにおいては、廃棄物は、配管内の長い距離を吸引によって搬送される。装置は特に、様々な施設における廃棄物の搬送に用いられる。圧力差を得るために部分真空装置が使用されることが、これらのシステムにとって典型的であり、この装置では、部分真空が、真空ポンプ又はエジェクター装置等の部分真空発生器によって搬送パイプ内で得られる。搬送パイプは通常、少なくとも１つの弁手段を備え、弁手段を開閉することによって、搬送パイプ内に入る補充（replacement）空気が調節される。従来技術のシステムでは、特に、複雑な制御システム及び／又は電流が、通常はそれらの投入点において必要とされ、この場合にシステムの設置が厄介であり、多様な専門知識を必要とするという問題がある。
【先行技術文献】
【特許文献】
【０００６】
【特許文献１】米国特許出願公開第２００６２０７６５３号
【発明の概要】
【発明が解決しようとする課題】
【０００７】
本発明の目的は、物質搬送システムに関する新しい種類の解決策を得ることであり、この解決策によって従来技術の解決策の欠点を回避する。本発明の別の目的は、部分真空移送システムに適用可能な解決策を得ることであり、この解決策を用いて、システムの設置作業、及びこの作業において必要とされる専門知識を容易にすることができる。
【課題を解決するための手段】
【０００８】
本発明は、水及び通常の水道本管の圧力を、物質の投入点と接続する遮断弁のアクチュエーター（actuator）の媒体として、またアクチュエーターの制御のために用いるというコンセプトに基づくものである。
【０００９】
本発明による方法は、請求項１の特徴部に開示されているものを特徴とする。
【００１０】
本発明による方法はまた、請求項２〜１１に規定されているものを特徴とする。
【００１１】
本発明による装置は、請求項１２の特徴部に開示されているものを特徴とする。
【００１２】
本発明による装置はまた、請求項１３〜２３に規定されているものを特徴とする。
【００１３】
本発明による解決策は多くの重要な利点を有する。本発明による解決策は、投入点が、動作させるために、電気、又は投入点から中央ユニットへ若しくは中央ユニットから投入点へ制御コマンドを送る手段を必要としないため、設置及び使用が容易である。したがって、システムは、水道管を備える全てのアパートに設置することができる。したがって、投入点は、単に配管設置者によって簡単に設置することができる。本発明による解決策は、食品廃棄物を台所から直接収集及び搬送することを可能にする。本発明による方法及び装置は、その廃棄物が下水に誘導される廃棄物粉砕機よりも、用いる水が大幅に少ない。本発明によって、食品廃棄物のゴミ箱への搬送を効果的に解決することができる。本発明による構成は、非常に多くのタイプの建物及び容器において適用可能である。
【００１４】
以下では、添付図面を参照して、本発明が、その実施形態の例を用いてより詳細に述べられる。
【図面の簡単な説明】
【００１５】
【図１】本発明の一実施形態による１つのシステムの図を示す。
【図２】第１の動作段階における、本発明の一実施形態のシステムの細部の簡略断面図を示す。
【図３】第２の動作段階における、本発明の一実施形態のシステムの細部の断面を示す。
【図４】本発明の第２の実施形態のシステムの簡略化した細部を示す。
【図４ａ】図４の方向Ａから見た細部を示す。
【図４ｂ】図４ａのＢ−Ｂ断面を示す。
【図５】本発明の第３の実施形態のシステムの簡略化した細部を示す。
【図６ａ】第１の動作段階における、本発明によるシステムの一実施形態の細部を示す。
【図６ｂ】第２の動作段階における、本発明によるシステムの一実施形態の細部を示す。
【発明を実施するための形態】
【００１６】
図１は、本発明による１つの実施形態による空気式物質搬送システム、より具体的には台所廃棄物搬送システムの簡略図を示す。この図は、建物、及び居住フロアである建物のフロア１、フロア２、フロア３の一部を示している。通常、それらのフロアには居住区画（apartments）等の複数の区画があり、これらの区画は台所スペースＫを備える。廃棄物スペースＷが建物の底部にある。台所廃棄物の搬送システムが建物内に配置されており、このシステムは、各区画の台所に配置されている投入点１と、搬送配管２、３とを備え、搬送配管の側部に沿って少なくとも１つの、通常は多くの投入点１が配置されている。投入点１は、搬送されることが意図される物質、より具体的には廃材の送り込みステーションであり、このステーションから、搬送されることが意図される物質、より具体的には台所廃棄物等の廃材が搬送システム内に給送される。部分真空発生器５が廃棄物室Ｗ内に配置されており、この部分真空発生器は分離装置４を介して搬送配管２、３に接続されている。分離装置４において、搬送配管３内の搬送される物質が搬送空気から分離される。通常、搬送配管は、主搬送パイプ３を含み、この主搬送パイプに、複数の分岐搬送パイプ２を接続することが可能であり、この分岐搬送パイプのそれぞれに、送り込みステーション１を接続することが可能である。送り込まれる物質は、搬送配管３に沿って分離装置４まで移送され、この分離装置において、搬送される物質が例えば速度の低下及び遠心力に起因して搬送空気から分離される。分離された物質は、例えば必要性に従って、例えばウォームコンベヤー６によって、分離装置４から廃棄物コンテナー７等の物質コンテナーへ、又は更なる対処のために取り除かれる。搬送空気導管４１が、分離装置４から、搬送パイプ内に部分真空を形成する手段５までつながっている。部分真空を形成する手段を用いて、物質の搬送時に必要とされる部分真空が搬送配管３内及び／又は搬送配管の一部内で得られる。図には、部分真空ユニット５からの排気導管５１が示されており、この排気導管は、図の実施形態では例えば建物の屋根まで前方へ誘導されている。物質はまた、ゴミ箱７内に誘導される代わりに、物質のより広範な搬送システム内、例えばＭｅｔｒｏ  Ｔａｉｆｕｎ（商標）廃棄物搬送システム内に直接誘導することができる。
【００１７】
図２は、本発明によるシステムにおいて用いられる１つの投入点１をより詳細に示す。
【００１８】
投入点１は、図の実施形態では投入開口部９を備え、この投入開口部から物質が送り込みコンテナー１０内に給送される。送り込みコンテナー１０は、その底部１０７から投入パイプ２まで接続されている。弁手段１１が送り込みコンテナーの底部と投入パイプ２との間に配置されており、この弁手段はアクチュエーター１２によって駆動される。弁手段１１、すなわち排出弁は、閉位置（図２）では、搬送配管２、３内で送り込み容器に対して作用する部分真空の影響を阻止し、かつ送り込みコンテナー内へ給送された物質の搬送配管２、３へのアクセスを阻止する。排出弁はアクチュエーター１２によって駆動される。アクチュエーター１２は、図では、シリンダー−ピストンユニットであり、このシリンダー−ピストンユニットのピストンのロッドが、その第１の端１３１（図３において見られる）においてシリンダースペース１５、１８内で移動するピストン１４に固定されており、その第２の端１３２において排出弁手段１１に固定されている。弁手段１１は、軸１７回りに回転するように構成されており、この場合、図２の閉位置から図３の開位置に移動することができる。
【００１９】
アクチュエーター１２は、図の実施形態では水である圧力媒体によって駆動される。図の実施形態では、アクチュエーター１２は、シリンダースペース１８内に配置されているばね手段１６を含む。媒体経路２３が、ピストン１４の、ばね手段１６に対して反対側のシリンダースペース１５内に配置されており、この媒体経路２３は水道管２２に接続することができる。図の実施形態では分配装置２０、２１が用いられ、この装置のボタン２１を押すことによって水道管２２からシリンダースペース１５内への媒体経路２３が開く。分配装置２０、２１は、通常の、好ましくは調節可能な自動閉鎖給水栓とすることができる。媒体経路２３は、図２によると、その下側端２３２においてアクチュエーター１２のシリンダースペース１５に接続されている。
【００２０】
媒体経路が開かれると、ピストンは、ばね１６の作用方向に抗して、図２では下方へ移動し始め、弁１７が開く（図３）。これは通常の水道本管の圧力によって達成することができる。これに対応して、図３の状況から、水道管２２からシリンダースペース１５への媒体経路２３が閉じると、ピストンは、ばね１６の影響下で、図３では上方へ移動し始め、弁１１が閉じる。シリンダースペース１５内で作用した水は、媒体経路１３３に沿って通って投入パイプ２に入り、搬送パイプ３内へ進むことが可能である。媒体経路１３３の開閉は、図６ａ及び図６ｂと関連して本明細書において以下で説明する。
【００２１】
本発明の実施形態によると、洗浄ライン２４、２５が、水道管２２から、最も好適には分配装置２１から送り込みコンテナー１０内に配置される。この場合、洗浄水が、送り込みコンテナー１０の壁に形成されている開口部１１０、１１１からこのコンテナーの内面を洗浄することが可能である。
【００２２】
送り込みコンテナー１０は、図の実施形態では、投入開口部９の後で、例えば円錐台形状のセクションに拡散するような形状である。投入開口部は、システム内に給送される廃棄物のサイズを投入開口部９全体のサイズに基づいて適合することができるように、形状決めされるか又は適合されている。排出弁及び搬送配管は、少なくとも投入開口部からシステム内に給送することができるサイズのひとかたまりの（a piece of）物質を搬送するように適合されている。図の実施形態では、投入開口部の方向に対して大部分が横断するガイドプレート１０１が、投入開口部と接続して、投入開口部９の上縁から或る距離だけ下方において、例えば支持部分１０８上に載って配置されており、このガイドプレートは、投入開口部から送り込まれる廃棄物を送り込みコンテナーの拡散セクションに側方へガイドする。これの後に、送り込みコンテナーは、出口開口部１０３を備える円錐台形状の収束セクション１０２を内部に備える。送り込みコンテナーの底部１０５は、図の実施形態では、接続部分１０４、１０７と着脱可能であるように構成されている。送り込みコンテナーの底部１０６は、接続部分１０７によって投入パイプ２へつながるセクションに固定されており、このセクションに弁手段１１が配置されている。送り込みコンテナーは、清掃のために好ましくは工具を用いることなく開くことができる。
【００２３】
蓋手段８が投入点１に接続されており、この蓋部分は別個のものとすることができるか、又は送り込みコンテナーの上部若しくは送り込みコンテナーに近接してヒンジ接続される蓋手段とすることができる。装置には、蓋８が適所に（into position）配置されない限り送り込みコンテナーを空にすることを防止する安全ロックを設けることができる。
【００２４】
投入点の投入開口部９は、図の実施形態では、調理台の表面に配置され、台所のテーブル天板に配置された開口部内等に、最も好適にはテーブルの表面と面一に配置される。投入点１の手段は通常、台所家具に設置される。
【００２５】
図４、図４ａ及び図４ｂは、本発明によるシステムの第２の実施形態を示す。ゲート弁３００がシステムに弁手段として適用されている。アクチュエーター１２は、ゲート弁の本体の壁３０１、３０２間で移動するプレート状の閉鎖手段３０３を駆動する。第１の位置では、送り込みコンテナー１０から投入パイプ２への、そして搬送配管３内へ進む媒体経路が閉じており、第２の位置では、送り込みコンテナーから投入パイプ２内への、そし搬送配管３内へ進む媒体経路が開いている。ゲート弁の本体のバットエンド部分（butt end part）がパイプ部分３０４であり、これを介して媒体を壁３０１及び３０２間のスペース内に誘導することができる。バットエンド部分のパイプ状部分３０４からシリンダースペース１５内へ開口部３０６が存在し、ここから、駆動媒体として用いられる水がパイプ状部分内に侵入する。開口部３０５がパイプ状部分に形成されており、この開口部から、水が弁本体の壁３０１、３０２間のスペース内に移動し、そしてアクセス開口を介して投入パイプへ進むことが可能である。アクチュエーターの動作は、前述の実施形態に関連して記載したタイプのものである。図４では、弁は閉位置にある。弁を開くことが望ましい場合、水分配ボタン２０を押下する。システムは、所定の時間、水を送り込む。水は、経路２４、２５を介して送り込みコンテナーの内面も洗浄する。水圧は、シリンダー１５内のピストンが図の右側へ、第２の位置へ向かって移動させる。搬送配管内で作用する部分真空発生器５によって得られる部分真空は、食品廃棄物及び水を搬送配管に沿って吸引する。廃棄物は、部分真空の影響下で、場合によっては重力の影響下でも、配管に沿って中央ユニットの分離手段４へ移動する。
【００２６】
図５は、本発明によるまた別の実施形態を示す。その中では、ピンチ弁４００が弁手段として用いられる。ピンチ弁は一般的に、プロセス工業配管内で遮断弁及び／又は制御弁として用いられる。弁４００を閉じると、アクチュエーター１２によって移動される２つの平行なジョー４０２、４０３がホース４０１を２つの側から同時に押し、この場合、ホース４０１は押されて閉じ、同時に配管内の流れを閉じる。
【００２７】
フレキシブルホース４０１は、最も一般的にはゴムから製造され、その内部には通常は織物層である補強部がある。これらの補強層は、ホースの圧力支持部分を形成し、層の数はホースの圧力クラスに応じて決まる。ホースの内側ゴム層は、弁が閉じたときにシールゾーンを形成し、この層はまた、補強層を、摩耗及び流動物質の化学的影響に対して保護する。外面のゴム層は、ジョーによって生じる摩耗から補強層を保護する。
【００２８】
ピンチ弁の圧縮部分４０２、４０３は、アクチュエーター１２によって作用され、この圧縮部分は、第１の位置では、送り込みコンテナー１０からの経路が閉じるようにピンチ弁のホース部分の経路の壁を一緒に押圧し、第２の位置では圧縮を開放し、この場合、送り込みコンテナー１０から投入パイプ２への、そして搬送配管３内へ進む経路が開く。
【００２９】
図６ａ及び図６ｂは、駆動媒体の排出弁に関して、アクチュエーターと関連する構成を更に示す。アクチュエーター１２のシリンダースペース１５から排出パイプ２内への媒体経路１３３を開閉することができる。媒体経路は、図ではスリーブ部分１３４に配置されており、図６ａでは第１の位置にある（シリンダースペース１５から排出パイプ２内への媒体経路は閉じている）。駆動媒体、すなわち水が経路２３に沿ってシリンダースペース１５内へ誘導されると、ピストン１４及びピストンロッド１３が図６ａでは下方へ移動し始める。ピストンロッドは、スリーブ手段１３４から所望の距離に取り付けられているピン等の延長部１３５を備える。ピストンが下方へ（図６ｂの位置に向かって）移動すると、スリーブ部分１３４はその位置に留まり、経路１３３は、ピストンロッドの延長部１３５がスリーブ部分１３４と接触してスリーブ部分をそれに沿って下方へ移動させるまで閉じる。この場合、媒体経路１３３は開き、水がシリンダースペース１５から逃げることが可能である。この解決策は、シリンダースペース１５から排出パイプ内への水の漏出流を少なくとも増大させ、したがってアクチュエーターの動作の速度を上げ、その一部として水を節約する。ばね１４がピストンを上方へ移動させると、媒体経路１３３は、ピストン１４がそのピストン端１３６においてスリーブ部分１３４と接触して、媒体経路１３３が閉じる位置までスリーブ部分を移動させるまで、開いたままとなる。
【００３０】
図の実施形態は、ばね１６側のシリンダースペース１８から排出パイプ内への第２の媒体経路１９も備え、この第２の媒体経路は、第１の端１９１と、第２の端１９２とを有する。この場合、発生する可能性のある漏出水が排出パイプ２内に移動することが可能である。
【００３１】
したがって、本発明は、廃棄物搬送システム等の空気式物質搬送システムにおける方法であって、搬送システムは、物質の、より具体的には廃材の少なくとも１つの投入点１と、投入点１に接続することができる物質搬送パイプ２、３と、搬送される物質を搬送空気から分離する分離装置４と、また、少なくとも物質の移送中に搬送パイプ２、３内で圧力差を得る手段５とを備える、方法に関する。投入点１と搬送配管２、３との間に配置される弁手段１１、３００、４００のアクチュエーター１２が、水道本管網２２から導かれる水によって駆動及び／又は制御される。
【００３２】
１つの実施形態によると、アクチュエーター１２はシリンダー−ピストンユニットであり、そのピストン部分１４が、シリンダースペース１５内に導かれる水によって第１の位置から第２の位置へ移動する。
【００３３】
１つの実施形態によると、アクチュエーターはシリンダー−ピストンユニットであり、そのピストン部分が、ばね手段１６によって第２の位置から第１の位置へ移動する。
【００３４】
１つの実施形態によると、アクチュエーターのピストン１４を移動させるときに用いられる圧力媒体は、少なくともピストンが第２の位置から第１の位置へ移動するときに、シリンダースペース１５から媒体経路１３３に沿って排出パイプ２内又は下水管内へ導かれる。
【００３５】
１つの実施形態によると、ヒンジ式のフラップ１１が弁手段として用いられ、フラップによってアクチュエーターのピストンロッド１３が移動するように適合されている。
【００３６】
１つの実施形態によると、ゲート弁が弁手段３００として用いられ、その閉鎖手段３０３によってアクチュエーターのピストン１４が移動するように適合されている。
【００３７】
１つの実施形態によると、ピンチ弁が弁手段４００として用いられ、その圧縮手段４０２、４０３によってアクチュエーターのピストンロッド１３が移動するように適合されている。
【００３８】
１つの実施形態によると、方法において、少なくとも１つの部分真空発生器５によって搬送パイプ３内で部分真空が得られ、その吸引側は、分離手段４に、又は空気導管４１を介してそれにつながっている搬送パイプ３に接続されている。
【００３９】
１つの実施形態によると、弁手段１１、３００、４００、すなわち排出弁は、駆動装置２０、２１によって手動で、又は蓋手段８への接続を介する方法で制御される。
【００４０】
１つの実施形態によると、送り込みコンテナー１０の内面を、少なくとも空にする間に水によって洗浄する。
【００４１】
１つの実施形態によると、方法において、物質は投入点１から送り込まれ、投入点は各特定の区画、最も好適には台所スペースＫに配置され、この場合、搬送される物質は最も好適には食品廃棄物である。
【００４２】
本発明はまた、廃棄物搬送システム等の空気式物質搬送システムにおける装置であって、搬送システムは、物質の、より具体的には廃材の少なくとも１つの投入点１と、投入点１に接続することができる物質搬送パイプ２、３と、搬送される物質を搬送空気から分離する分離装置４と、また、少なくとも物質の移送中に搬送パイプ２、３内で圧力差を得る手段５とを備える、装置に関する。投入点１と搬送配管２、３との間に配置される弁手段１１、３００、４００のアクチュエーター１２の駆動媒体及び／又は制御媒体が、水道本管網２２から導かれる水である。
【００４３】
１つの実施形態によると、アクチュエーター１２はシリンダー−ピストンユニットであり、そのピストン部分１４が、媒体経路２３に沿ってシリンダースペース１５内へ導かれる水によって第１の位置から第２の位置へ移動されるように適合されている。
【００４４】
１つの実施形態によると、アクチュエーター１２はシリンダー−ピストンユニットであり、そのピストン部分１４が、ばね手段１６によって第２の位置から第１の位置へ移動されるように適合されている。
【００４５】
１つの実施形態によると、装置は、シリンダースペース１５から排出パイプ２内又は下水管内への媒体経路１３３を備える。
【００４６】
１つの実施形態によると、装置は、水道管２２からシリンダースペース１５内への媒体経路２３を開く分配装置２０、２１を備える。
【００４７】
１つの実施形態によると、分配装置２０、２１は好ましくは調節可能な自動閉鎖給水栓である。
【００４８】
１つの実施形態によると、弁手段１１はヒンジ式のフラップであり、それによってアクチュエーターのピストンロッド１３が移動するように適合されている。
【００４９】
１つの実施形態によると、弁手段３００はゲート弁であり、その閉鎖手段３０３によってアクチュエーターのピストン１４が移動するように適合されている。
【００５０】
１つの実施形態によると、弁手段４００はピンチ弁であり、その圧縮手段４０２、４０３によってアクチュエーターのピストンロッド１３が移動するように適合されている。
【００５１】
１つの実施形態によると、装置は、少なくとも１つの部分真空発生器５を備え、その吸引側は、分離手段４に、又は空気導管４１を介してそれにつながっている搬送パイプ３に接続されている。
【００５２】
１つの実施形態によると、装置は、送り込みコンテナー１０の内面を水によって洗浄する手段２４、２５、１１０、１１１を備える。
【００５３】
１つの実施形態によると、投入点１は、建物内において、各特定の区画、最も好適には区画の台所領域Ｋに配置されている。
【００５４】
圧力差を得る手段は、部分真空発生器５等の少なくとも１つのポンプ装置、及び／又はファンを備え、その吸引側は、分離手段４に、又はそれにつながっている空気導管に接続されている。
【００５５】
投入点１の排出弁１１、３００、４００は、好適なサイズの物質バッチが投入点１から搬送パイプ２、３内へ搬送されるように開閉する。物質は投入点１から送り込まれ、蓋８は投入点の投入開口部９の上部に配置され、排出弁１１は開かれる。排出弁１１のアクチュエーター１２の作動媒体は少なくとも部分的に水であり、それは水道本管網の圧力によって水道管２２から運ばれる。図の実施形態では、この場合、水分配手段の作動スイッチ２０（分配ボタン）が下方へ押される。
【００５６】
目的は、搬送パイプ３の回路（circuit）に属する投入点１の送り込みコンテナー１０を空にすることであるとみなされる。排出弁１１、３００、４００は、用いられる装置の構成部材に応じて、一瞬、例えば２秒〜１０秒間開き、この場合、搬送される廃材等の物質は、部分真空の影響下で送り込みコンテナー１０から投入パイプ２を介して搬送パイプ３内へ移動し、そして分離装置４内へ進む。排出弁１１、３００、４００は、通常は開始状況後に数秒で閉じる。真空ポンプユニット５は所望の部分真空を維持する。
【００５７】
物質は、分離装置４から、ウォームコンベヤー等の搬送手段６によって容器７内へ搬送される。
【００５８】
ゴミ箱等の容器７は、満杯になると交換されるか又は取り替えられる。システムは、複数の分離装置４も備えることができ、その中へ、例えば物質のタイプに従って、又はシステムの容量に基づいて物質の搬送がガイドされる。
【００５９】
本発明は、上記で示された実施形態に限定されないが、添付の特許請求の範囲の範囲内で変えることができることが当業者に明らかである。他の特徴とともに本明細書において示された可能性のある特徴は、必要であれば互いに別々に使用することもできる。
【図１】
2013519609.tif 000003
【図２】
2013519609.tif 000004
【図３】
2013519609.tif 000005
【図４】
2013519609.tif 000006
【図４ａ】
2013519609.tif 000007
【図４ｂ】
2013519609.tif 000008
【図５】
2013519609.tif 000009
【図６ａ】
2013519609.tif 000010
【図６ｂ】
2013519609.tif 000011
【国際調査報告】
2013519609.tif 000012
2013519609.tif 000013